(57)【要約】【課題】横幕板を単独で強固に、簡単な作業で取付けできるレンジフードとする。【解決手段】フード本体１０の天面１０ａに本体２０を取付け、この本体２０内に排気路を設ける。この本体２０の側面２０ａに被取付部２１を設けると共に、横幕板４０の本体部４１に奥側取付部４２と手前側取付部４３を設け、この横幕板４０をフード本体１０に沿ってスライドして押し込むことで奥側取付部４２を被係止部２１に嵌合して連結し、手前側取付部４３を本体２０の側面２０ａにビス４４で固着して横幕板４０を取付けたレンジフードで、その横幕板４０を押し込んで仮取付けた状態でビス止めすることで強固に簡単な作業で取付けできる。【選択図】図３
2006153395.tif 000002
【特許請求の範囲】
【請求項１】
フード本体１０と、このフード本体１０の天面１０ａに取付けられ内部に排気路を設けた本体２０と、前記フード本体１０の天面１０ａに取付けられて本体２０の正面側を覆い、正面から見えないようにする幕板３０と、前記フード本体１０の天面１０ａに取付けられて本体２０の側面側を覆い、側面から見えないようにする横幕板４０を備え、
前記本体２０の側面２０ａに被取付部２１を有し、
前記横幕板４０は、本体２０の側面側を覆う本体部４１と、この本体部４１の奥側に設けた奥側取付部４２と、この本体部４１の手前側に設けた手前側取付部４３を有し、
この奥側取付部４２と被取付部２１が嵌合して連結されると共に、その奥側取付部４２と被取付部２１が側面から見えないように本体部２１で覆われ、
前記手前側取付部４３が本体２０の側面２０ａにビス４４で固着され、そのビス４４と手前側取付部４３が側面から見えないように幕板３０で覆われていることを特徴とするレンジフード。
【請求項２】
被取付部２１と奥側取付部４２は、横幕板４０をフード本体１０に沿って押し込むことで嵌合して連結すると共に、横幕板４０を位置決めし、手前側取付部４３の孔４３ａと本体２０のビス孔２２が合致するようにした請求項１記載のレンジフード。
【請求項３】
本体２０の側面２０ａに取付金具２３の取付片２３ａを取付け、この取付金具２３の受片２３ｂを本体２０の側面２０ａと離隔して被取付部２１とし、
横幕板４０の本体部４１の奥側縁を手前側に向けてＬ字形状に折り曲げ、その折り曲げ部に前記取付金具２３の取付片２３ａが挿通して受片２３ｂが嵌合する穴４７を形成して奥側取付部４２とした請求項１又は２記載のレンジフード。
【請求項４】
本体２０の側面２０ａを切り起こして受片２７とし、この受片２７を側面２０ａと離隔して被取付部２１とした請求項３記載のレンジフード。
【発明の詳細な説明】
【技術分野】
【０００１】
本発明は、主として家庭用台所の調理器の上方に取付けられ、調理時に発生した煙等を屋外に排出するレンジフードに関する。
【背景技術】
【０００２】
家庭用台所の調理器の上方に取付けられるレンジフードとしては、特許文献１，２に開示されたものが知られている。
この特許文献１に開示された第１のレンジフードは、フード本体内にファンを設け、そのファンの吐出側を排気路で屋外に開口し、そのフード本体の天面に幕板を設けて排気路が正面から見えないようにしてある。
【０００３】
前述の特許文献２に開示された第２のレンジフードは、フード本体の天面に設けた幕板を正面板と左右の側面板で平面コ字形状とし、排気路が正面及び側面から見えないようにしてある。
【０００４】
【特許文献１】特開平５−３４０５８６号公報
【特許文献２】特開平７−３１８１３２号公報
【発明の開示】
【発明が解決しようとする課題】
【０００５】
前述したレンジフードは、一般的に、家庭用台所のコーナー部に設置したり、その左右の吊り戸棚間に設置されるので、そのフード本体の左右側面は吊り戸棚と壁や、左右の吊り戸棚で覆われて排気路が左右の側面から見えないので、フード本体の天面に幕板を設けた前述した第１のレンジフードで良い。
しかし、フード本体の左右に吊り戸棚が存在せずに、左右一方にのみ存在したり、左右両方に存在しない場合には、前述の第１のレンジフードであると排気路が左右の側面から見えてしまう。
このような場合には前述の特許文献２に開示されたように、平面コ字形状の幕板を設けたレンジフードを用いることで、排気路が左右の側面から見えないようにできる。
しかし、第２のレンジフードを前述したように排気路が左右の側面から見えない場所に取付ける場合には、幕板の左右の側面板が無駄でコスト高となる。
【０００６】
前述のことを解消するには、従来の第２のレンジフードにおける幕板を、正面板と側面板に別体とし、それぞれ別々に取付けること、つまり、フード本体の天面に、排気路の正面側を覆う幕板と排気路の側面側を覆う横幕板を別々に取付け可能とし、レンジフードの設置条件に応じて幕板のみを取付けたり、幕板と横幕板のみを取付けることが考えられる。
しかし、横幕板のみを単独でフード本体に取付ける場合には、その取付け強度や取付け作業性に問題があり、横幕板のみを単独でフード本体に強固に、簡単な作業で取付けできるようにすることが要求されているのが現況である。
【０００７】
本発明の目的は、レンジフードの設置場所に応じて幕板と横幕板を備えたレンジフード、幕板のみを備えたレンジフードとすることができ、その横幕板のみを単独で強固に、簡単な作業で取付けでき、しかも側面からの見栄えが良いレンジフードを提供することである。
【課題を解決するための手段】
【０００８】
第１の発明は、フード本体１０と、このフード本体１０の天面１０ａに取付けられ内部に排気路を設けた本体２０と、前記フード本体１０の天面１０ａに取付けられて本体２０の正面側を覆い、正面から見えないようにする幕板３０と、前記フード本体１０の天面１０ａに取付けられて本体２０の側面側を覆い、側面から見えないようにする横幕板４０を備え、
前記本体２０の側面２０ａに被取付部２１を有し、
前記横幕板４０は、本体２０の側面側を覆う本体部４１と、この本体部４１の奥側に設けた奥側取付部４２と、この本体部４１の手前側に設けた手前側取付部４３を有し、
この奥側取付部４２と被取付部２１が嵌合して連結されると共に、その奥側取付部４２と被取付部２１が側面から見えないように本体部２１で覆われ、
前記手前側取付部４３が本体２０の側面２０ａにビス４４で固着され、そのビス４４と手前側取付部４３が側面から見えないように幕板３０で覆われていることを特徴とするレンジフードである。
【０００９】
第２の発明は、第１の発明において、被取付部２１と奥側取付部４２は、横幕板４０をフード本体１０に沿って押し込むことで嵌合して連結すると共に、横幕板４０を位置決めし、手前側取付部４３の孔４３ａと本体２０のビス孔２２が合致するようにしたレンジフードである。
【００１０】
第３の発明は、第１又は第２の発明において、本体２０の側面２０ａに取付金具２３の取付片２３ａを取付け、この取付金具２３の受片２３ｂを本体２０の側面２０ａと離隔して被取付部２１とし、
横幕板４０の本体部４１の奥側縁を手前側に向けてＬ字形状に折り曲げ、その折り曲げ部に前記取付金具２３の取付片２３ａが挿通して受片２３ｂが嵌合する穴４７を形成して奥側取付部４２としたレンジフードである。
【００１１】
第４の発明は、第３の発明において、本体２０の側面２０ａを切り起こして受片２７とし、この受片２７を側面２０ａと離隔して被取付部２１としたレンジフードである。
【発明の効果】
【００１２】
請求項１に係る発明によれば、幕板３０と横幕板４０が別体で、それぞれが単独に取付けられるから、レンジフードの設置場所に応じて幕板３０と横幕板４０を備えたレンジフード、幕板３０のみを備えたレンジフードとすることができる。
また、横幕板４０の本体部４１の手前側取付部４３がビス４４で本体２０の側面に固着されているから、横幕板４０のみを単独で強固に取付けできる。
また、横幕板４０の本体部４１の奥側取付部４２を本体２０の被取付部２１に嵌合して連結して仮取付けし、その状態で手前側取付部４３をビス止めできるから、横幕板４０を簡単な作業で取付けできる。
また、奥側取付部４２と被取付部２１は本体部４１で覆われて側面から見えないし、手前側取付部４３とビス４４は幕板３０で覆われて側面から見えないので、側面からの見栄えが良い。
【００１３】
請求項２に係る発明によれば、横幕板４０をフード本体１０に沿って手前側から奥側に向けて押し込むことで奥側取付部４２と被取付部２１が嵌合して連結されると共に、横幕板４０が位置決めされてビス孔２２と孔４３ａが合致するので、横幕板４０を取付ける作業がより一層簡単である。
【００１４】
請求項３に係る発明によれば、横幕板４０が不要なレンジフードの場合には取付金具が不要となり、幕板３０のみを備えたレンジフードのコストダウンとなる。
【００１５】
請求項４に係る発明によれば、本体２０の側面２０ａを切り起こして被取付部２１としたので、その被取付部２１のために特別の部品が不要でコスト安となるし、部品取付けの手間がかからない。
【発明を実施するための最良の形態】
【００１６】
図１に示すように、フード本体１０の天面１０ａに本体２０が取付けてある。
この本体２０内には排気路が設けてある。
前記フード本体１０の天面１０ａに幕板３０が取付けてあり、この幕板３０で前記本体２０（排気路）の正面側を覆い、正面から見えないようにしてある。
前記フード本体１０の天面１０ａに横幕板４０が設けてあり、この横幕板４０は幕板３０と連続していると共に、フード本体１０を取付けた壁Ａまで連続して本体２０の側面側を覆い、側面から見えないようにしてある。
【００１７】
前記横幕板４０は、図２と図３に示すように前述の本体２０の側面側を覆う本体部４１と、この本体部４１の奥側に設けた奥側取付部４２と、本体部４１の手前側に設けた手前側取付部４３を備え、その本体部４１の下面４１ａがフード本体１０の天面１０ａに接し、前記奥側取付部４２が本体２０の側面２０ａの奥側に設けた被取付部２１に嵌合して連結され、手前側取付部４３が本体２０の側面２０ａにビス４４で固着される。
前記奥側取付部４２と被取付部２１は本体部４１で覆われて側面から見えない。
前記手前側取付部４３とビス４４は幕板３０で覆われて側面から見えない。
【００１８】
前記奥側取付部４２と被取付部２１は、横幕板４０をフード本体１０の天面１０ａに沿ってスライドして手前から奥に向けて押し込むことで嵌合して連結し、横幕板４０を位置決めして手前側取付部４３の孔４３ａと本体２０の側面２０ａのビス孔２２が合致する。
このようであるから、フード本体１０を壁Ａに取付けた後に、横幕板４０をより一層簡単な作業で取付けできる。
なお、前述の説明で奥側とはレンジフードを取付ける壁Ａ側のことで、手前側とは、その壁Ａと反対側である。
【００１９】
前記横幕板４０の本体部４１の表面４１ｂとフード本体１０の側面１０ｂは面一で、本体部４１の奥側端面４１ｃとフード本体１０の奥側面１０ｃは面一である。
前記幕板３０の奥側端面３０ａが横幕板４０の本体部４１の手前側端面４１ｄに接して前述の手前側取付部４３を覆い、その幕板３０の側面３０ｂが本体部４１の表面４１ｂと面一である。
なお、前述したように各面が面一であることに限ることはなく、段差を有していても良い。
【００２０】
次に、横幕板４０の具体形状を説明する。
前記本体部４１は矩形状の縦板４５の上縁、下縁、両側縦縁を裏面側に向けて折り曲げて内向片４５ａとした形状で、その縦板４５が表面４１ｂ、下の内向片４５ａが下面４１ａ、一方の縦の内向片４５ａが奥側端面４１ｃ、他方の縦の内向片４５ａが手前側端面４１ｄである。
前記一方の縦の内向片４５ａの内端縁を手前側に向けて折り曲げて折り片４６としてあり、この折り片４６は縦板４５と平行で、この折り片４６と内向片４５ａとによって本体部４１の奥側縁が手前側に向けてＬ字形状に折り曲げられている。
前記折り片４６と内向片４５ａ（前述の折り曲げ部）とに亘って穴４７を形成し、前述の奥側取付部４２としてある。
前記他方の内向片４５ａの内端縁を手前側に向けて折り曲げて前述の手前側取付部４３としてある。
【００２１】
前記被取付部２１の具体形状の一例を説明する。
図４に示すように、取付金具２３の取付片２３ａを本体２０の側面２０ａに接し、その側面２０ａのビス孔２４にビス２５を螺合して取付片２３ａを取付け、その取付金具２３の受片２３ｂを側面２０ａと離隔し、かつ手前側に向かうようにして前述の被取付部２１とする。つまり、前記取付金具２３の上下寸法は前述の穴４７の上下寸法よりも小さい。
このようであるから、横幕板４０をフード本体１０の天面１０ａに沿ってスライドして手前から奥に向けて押し込みすると、穴４７が取付金具２３の取付片２３ａを通過して受片２３ｂと穴３７が嵌合して本体２０の側面２０ａと本体部４１の奥側を連結すると共に、横幕板４０が位置決めされる。
これによって、奥側の内向片４５ａが壁Ａに接し、その内向片４５ａをビス４８で壁Ａに固着する。
このように、奥側の内向片４５ａを壁Ａに固着する場合には、そのビス４８を内向片４５ａの上部寄りから螺合するので、前記取付金具２３を本体２０の側面２０ａの下部寄りに取付ける。
【００２２】
前述の被取付部２１は本体２０の側面２０ａを切り起こして一体形成しても良い。
例えば、図５と図６に示すように本体２０の側面板２６の一部を手前側に向けて切り起こして受片２７とし、この受片２７を側面２０ａと離隔して被取付部２１とする。
このようにすれば、取付金具２３が不要であるから、部品点数が少なくコスト安となると共に、取付金具２３を取付ける手間がかからない。
【００２３】
次に、各部材の具体形状を説明する。
前記フード本体１０は、天面板１１と正面板１２と背面板１３と左右の側面板１４で下面が開口した箱形状で、その天面板１１が前述の天面１１ａで、側面板１４が前述の側面１０ｂで、背面板１３が前述の奥側面１０ｃである。
前記本体２０は上面板５０と正面板５１と背面板５２と左右の側面板２６で下面が開口した箱形状で、その側面板２６が前述の側面２０ａである。
前記左右の側面板２６の下端縁を折り曲げた取付片２６ａがフード本体１０の天面板１１に固着具５４で固着されている。
前記本体２０内には排気用の送風機と吸気用の送風機が設けてある。その排気用の送風機の吐出側が上面板５０に取付けた排気用ダクト５５に連通し、吸い込み側が前記フード本体１０内に連通して前述の排気路を構成している。
前記吸気用の送風機の吐出側が正面板５１に形成した出口５６に連通し、吸い込み側が上面板５０に設けた吸気用ダクト５７に連通し、吸気路を構成している。
【００２４】
前記幕板３０は正面板３１と左右の側面板３２で平面略コ字形状で、その側面板３２が前述の側面３０ｂで、側面板３２の端面が前述の奥側端面３０ａである。
前記正面板３１と左右の側面板３２とに亘って背面板３３が取付けられたチャンバー部３４を形成している。
前記正面板３１の下縁を折り曲げた取付片３１ａをフード本体１０の天面板１１にビス３５で固着して幕板３０をフード本体１０に取付ける。
これによって、背面板３３に形成した入口３６が前記本体２０の出口５６に連通してチャンバー部３４に空気が流入し、その空気は正面板３１に形成した吸気口３７から流出する。
【００２５】
前述のレンジフードの取付け手順の一例を説明するが、この取付け手順に限ることはない。
フード本体１０の天面１０ａに本体２０を取付けると共に、その本体２０の側面２０ａに取付金具２３を取付けた状態で、そのフード本体１０を壁Ａに取付ける。
横幕板４０の下面（本体部４１の下面４１ａ）をフード本体１０の天面１０ａに沿って手前側から奥側に向けてスライドさせて押し込み、奥側取付部４２を本体２０の被取付部２１に嵌合して連結することで、横幕板４０を仮取付けすると共に、位置決めする。
横幕板４０の手前側取付部４３をビス４４で本体２０の側面２０ａに固着する。
横幕板４０の奥側の内向片４５ａをビス４８で壁Ａに固着する。
これによって、横幕板４０を強固に取付けできる。
【００２６】
前述のようにして横幕板４０を取付けた後に、幕板３０を取付け、その幕板３０で横幕板４０の手前側取付部４３を覆って見えないようにする。
なお、前述の横幕板４０は左右両側に取付けることもできる。
また、前述の横幕板４０が不要の場合には、幕板３０のみを取付ければ良い。
【００２７】
前述の実施の形態では、本体２０内に吸気路と排気路を設けたが、これに限ることはなく本体２０内に排気路のみを設けても良い。
【図面の簡単な説明】
【００２８】
【図１】本発明の実施の形態を示すレンジフードの一部破断側面図である。
【図２】本発明の実施の形態を示すレンジフードの斜視図である。
【図３】本発明の実施の形態を示すレンジフードの分解斜視図である。
【図４】本体と横幕板奥側の連結部を示す横断面図である。
【図５】本体の被取付部の第２の実施の形態を示す斜視図である。
【図６】本体と横幕板奥側の連結部を示す横断面図である。
【符号の説明】
【００２９】
１０…フード本体、１０ａ…天面、２０…本体、２０ａ…側面、２１…被取付部、２３…取付金具、２３ａ…取付片、２３ｂ…受片、２７…受片、３０…幕板、４０…横幕板、４１…本体部、４２…奥側取付部、４３…手前側取付部、４３ａ…孔、４４…ビス。
【図１】
2006153395.tif 000003
【図２】
2006153395.tif 000004
【図３】
2006153395.tif 000005
【図４】
2006153395.tif 000006
【図５】
2006153395.tif 000007
【図６】
2006153395.tif 000008